(57)【特許請求の範囲】
【請求項１】
１種類又は複数種類のエリシター(Ａ)を施用した後に得られる植物の生理的応答に対する増強剤（相乗剤）としての１種類又は複数種類の抗真菌性及び／又は抗細菌性及び／又は抗ウイルス性誘導体(Ｂ)の使用であって、該相乗剤化合物（Ｂ）が、フォセチルアルミニウム塩、フォセチルナトリウム塩並びに亜リン酸からなる群から選択されることを特徴とする前記使用。
【請求項２】
前記エリシター(Ａ)が、タンパク質、オリゴ糖、トレハロース、多糖、キトサン、脂質、糖脂質、糖タンパク、ペプチド、植物材料及び／又は菌類由来の細胞壁エキス、菌類、アシベンゾラルＳメチル及び／又はその類似体の１つ、酵母エキス、サリチル酸及び／又はそのエステルの１つ又は複数個、Ａｇｒｉｍｅｒ  ５４０、ＣＡＬ、Ａｇｒｏｔｏｎｉｃ、Ｌａｍｉｎａｒｉａ種（Ｌａｍｉｎａｒｉａ  ｄｉｇｉｔａｌｉｓ、Ｌａｍｉｎａｒｉａ  ｓａｃｃｈａｒｉｎａ、Ｌａｍｉｎａｒｉａ  ｈｙｐｅｒｂｏｒｅａ）、Ａｓｃｏｐｈｙｌｌｕｍ種（Ａｓｃｏｐｈｙｌｌｕｍ  ｎｏｄｏｓｕｍ）、Ｈｉｍａｎｔｈａｌｌａ種（Ｈｉｍａｎｔｈａｌｌａ  ｅｌｏｎｇａｔａ）、Ｕｎｄａｒｉａ種（Ｕｎｄａｒｉａ  ｐｉｎｎａｔｉｆｉｄａ）、Ｆｕｃｕｓ種（Ｆｕｃｕｓ  ｖｅｓｉｃｕｌｕｍ）、Ｕｌｖａ種、Ｃｈｏｎｄｒｕｓ種、Ｅｎｔｅｒｏｍｏｒｐｈｅ種からなる群から選択される藻類のエキスの１つ又は複数個を含むリストから選択されることを特徴とする請求項１に記載の使用。
【請求項３】
Ｂは亜リン酸又はフォセチルナトリウムであることを特徴とする請求項１又は２に記載の使用。
【請求項４】
Ａが、ｉ）Ｐｈｙｔｏｐｈｔｈｏｒａ  ｍｅｇａｓｐｅｒｍａ（Ｐｍｇ）の細胞壁から単離されるβ−グルカンタイプのオリゴ糖、ｉｉ）ペクチンのオリゴマー又はｉｉｉ）β−メガスペルミンであることを特徴とする請求項３に記載の使用。
【請求項５】
Ｂが、亜リン酸又はフォセチルアルミニウムであることを特徴とする請求項１又は２に記載の使用。
【請求項６】
Ａが、キトサン、アシベンゾラルＳメチル、サリチル酸及び／又はそのエステルの１つ又は複数個、酵母エキス、トレハロース、又は非宿主菌類胞子であることを特徴とする請求項５に記載の使用。
【請求項７】
使用が、既知の殺真菌剤を使った古典的な殺真菌剤処理と組み合わされ、その処理がＡ及び／又はＢの施用と同時に行うこともできるし、別々に行うこともできることを特徴とする請求項１ないし６のいずれか一項に記載の使用。
【請求項８】
化合物Ａとしての、請求項１ないし６に定義される由来及び性質を有する１つ又は複数個のエリシター、並びにフォセチルアルミニウム塩、フォセチルナトリウム塩、亜リン酸からなる群から選択される少なくとも１つの抗真菌剤Ｂを含む、相乗的な抗真菌性及び／又は抗細菌性及び／又は抗ウイルス性組成物。
【請求項９】
Ｂがフォセチルアルミニウムであることを特徴とする請求項８に記載の組成物。
【請求項１０】
単子葉植物及び、双子葉植物に対して適合する請求項８又は９に記載の組成物。
【請求項１１】
小麦、稲、大麦、ブドウ及びナス科植物に適合する請求項１０に記載の組成物。
【請求項１２】
さらに既知の別の殺真菌剤を含む請求項８ないし１１のいずれか一項に記載の組成物。
【請求項１３】
請求項１ないし６で定義されたＡ及びＢにおいて、１つ又は複数個の化合物Ａと少なくとも１つの化合物Ｂとを組み合わせた有効かつ非植物毒性量を植物の空中部分に施用することを特徴とする、栽培植物病原性菌類及び／又は細菌及び／又はウイルスに対する治療又は予防としての防除方法。
【請求項１４】
請求項８ないし１２のいずれか一項に記載の組成物の有効かつ非植物毒性量を植物の空中部分に施用することを特徴とする、栽培植物病原性菌類及び／又は細菌及び／又はウイルスに対する治療又は予防としての防除方法。
【請求項１５】
既知の殺真菌剤を使用する補助的な処理を行うことを特徴とする請求項１３又は１４に記載の方法であって、前記殺真菌剤は化合物Ａ及び／又はＢと同時に又は別々に使用される方法。
【請求項１６】
穀物、野菜、果実作物、樹木栽培作物、ブドウ、ヒマワリ、ビート、タバコ又は鑑賞植物を処理することを特徴とする請求項１３ないし１５のいずれか一項に記載の方法。
【発明の詳細な説明】
【０００１】
本発明は、植物の生理学的な応答、たとえば、病原体に対する植物防護応答増強剤（相乗剤）としての１つ又は複数個の誘導体Ｂの新しい使用に関する。１つ又は複数個のエリシターＡを適用することにより、ある水準の防護を植物に誘導することができる。ある化合物Ｂ、たとえば抗真菌及び／又は抗細菌及び／又は抗ウイルス剤の使用によって、エリシターＡを単独で使用した場合に得られる応答を増強することが出来ることが明らかにされている。
【０００２】
植物に誘導される自然の防御機構のモデルタイプは過敏反応（ＨＲ）であるが、その機構は、植物による微生物又は微生物化合物（「エリシター」）の感知、達成される細胞の死、いろいろな化学シグナル及びメッセージの発生を含む事象の複雑なカスケードから成っている。こうした化学シグナル及びメッセージは、活性防護に関係する代謝の変化：フェニルアラニンアンモニアリアーゼ（ＰＡＬ）の活性化、抗生物質活性を有する芳香族化合物（フィトアレキシン）の生合成に導くフェニルプロパノイド経路のかぎと成る酵素、サリチル酸（ＡＳ）のようなシグナル分子又はさらに構造分子（リグニン）、オクタデカン酸経路と、特に細胞死に関与するヒドロペルオキシド及びフリーラジカルを発生することができるリポキシゲナーゼ（ＬＯＸ）の活性化、又はジャスモン酸のようなシグナル分子の活性化を誘導しようとするものである。
【０００３】
相乗効果とは、植物又は細胞が、その後の外力、たとえばエリシターによる処理に対して非常に増幅された形で応答する増感活性であると理解することができる。それゆえ、相乗剤は、１つ（又は複数）の別のエリシター分子を施用すると植物を増感し、増幅された形で応答させる化合物（分子）及び／又は化合物の混合物である。この相乗剤はエリシターの性質をそれ自身に与えられうることが知られている。
【０００４】
エリシターＡは、タンパク質、オリゴ糖（たとえばトレハロース）、多糖（たとえばＡｇｒｉｃｕｌｔｕｒａｌ  Ｇｌｙｃｏｓｙｓｔｅｍｓ，  Ｉｎｃ．が商標登録する製品Ｅｌｅｘａ（登録商標）又はＣｈｉｔｏｓａｎ（登録商標））、脂質、糖脂質、糖タンパク、様々な由来のペプチド、藻類エキス、植物材料及び／又は菌類由来の細胞壁エキス（たとえば藻類の）、菌類、Ｂｉｏｎ（登録商標）（化合物ＢＴＨ又はＣＧＡ  ２４５７０４に対するノバリス社の登録商標）及び／又はその類似体の１つ（特に欧州特許第３１３５１２号、欧州特許出願第０６９００６１号によって知られる類似体）、酵母エキス、サリチル酸及び／又はそのエステルの１つ又は複数個を含む化合物のリストから選択される。
【０００５】
化合物Ａエリシターは、たとえば、参照してここに組み込まれる文書ＷＯ９８／４７３７５に記載のオリゴタンパク質など、１つ（又は複数）の藻類エキス（加水分解物）であることが好ましい。
【０００６】
そして、藻類としては、Ａｇｒｏｃｅａｎ協会によって必要に応じて提案される、たとえば、Ａｇｒｉｍｅｒ  ５４０、ＣＡＬ、Ａｇｒｏｔｏｎｉｃ、Ｌａｍｉｎａｒｉａ種（Ｌａｍｉｎａｒｉａ  ｄｉｇｉｔａｌｉｓ，Ｌａｍｉｎａｒｉａ  ｓａｃｃｈａｒｉｎａ，Ｌａｍｉｎａｒｉａ  ｈｙｐｅｒｂｏｒｅａ）、Ａｓｃｏｐｈｙｌｌｕｍ種（Ａｓｃｏｐｈｙｌｌｕｍ  ｎｏｄｏｓｕｍ）、Ｈｉｍａｎｔｈａｌｌａ種（Ｈｉｍａｎｔｈａｌｌａ  ｅｌｏｎｇａｔａ）、Ｕｎｄａｒｉａ種（Ｕｎｄａｒｉａ  ｐｉｎｎａｔｉｆｉｄａ）、Ｆｕｃｕｓ種（Ｆｕｃｕｓ  ｖｅｓｉｃｕｌｕｍ）、Ｕｌｖａ種、Ｃｈｏｎｄｒｕｓ種、Ｅｎｔｅｒｏｍｏｒｐｈｅ種などがさらに有利であり、これらの群は、本発明の範囲内で使用することができるが、これに限定されるものではない。
【０００７】
相乗剤化合物Ｂは、フォセチルアルミニウム塩、フォセチルナトリウム塩などの亜リン酸エステル金属塩としての亜リン酸誘導体、亜リン酸及びそれらのアルカリ金属塩又はアルカリ土類金属塩、Ｂｉｏｎ（登録商標）（ＢＴＨ又はＣＧＡ  ２４５７０４）及び／又はそれらの類似体の１つ、製品Ｅｌｅｘａ（登録商標）、ＩＮＡ（イソニコチン酸）、ＢＡＢＡ（アミノ酪酸）、ジャスモン酸メチル（ＭｅＪａ）を含むリストから選択される。
【０００８】
フォセチルアルミニウム塩及び亜リン酸は、生物実験では相乗剤として優先的に選択したが、フォセチルアルミニウム塩はタバコの細胞の培養に対して有毒であるため、細胞培養においてはフォセチルナトリウム塩を代用した。
【０００９】
変性したエリシターで処理される細胞培養のような単純化されたモデルシステムを使用することにより、全植物に固有の空間構成要素から取り除かれながら、ＨＲを完全に表現し、細胞内の信号発信の早期事象に到達することが出来る。本発明者は、本発明の中で化学物質による防護応答の相乗化の問題について取り組む。
【００１０】
エリシターは、タンパク質及び糖類の異なるカテゴリーから選択されたが、植物に対する細胞試験及び生物学的試験にとって同じではない。
【００１１】
ｂｉｏｎ（登録商標）（ＢＴＨ）は、選択されたエリシターの基準製品であり、そのため事前実施された生物実験ではｏｉｄｉｕｍ属菌／大麦の組が保持された。
【００１２】
一方で相乗剤の施用、他方でエリシターに施用によって誘発される現象を詳しく分析するため、予備実験全体は相乗剤とエリシターの間の逐次（時間的に隔てられた）処理に関係する。これは、２種類のタイプの製品が混合されるか、又はそれらが（混合状態でないにもかかわらず）同時に使用されるかを問わない。
【００１３】
様々なエリシター（Ｐｈｙｔｏｐｈｔｈｏｒａ  ｍｅｇａｓｐｅｒｍａ  Ｈ２０、ペクチンのオリゴマー、Ｐ．ｍｅｇａｓｐｅｒｍａによって産生されるエリシチン、β−メガスペルミン）は水の中で調製される。溶液のｐＨは必要によって約５．５に調整する。
【００１４】
亜リン酸、フォセチルナトリウム、フォセチルアルミニウム、サリチル酸エステル及びＥｌｅｘａ（登録商標）（Ｅ）は水の中で調製される。ＢＴＨは、タバコ細胞試験のためにＤＭＳＯ中で調製され、植物の試験用には市販Ｂｉｏｎ（登録商標）（又はＢｅｎｄｉｃａｒ（登録商標））の形で使用される。
【００１５】
最後に、エリシターは、ＢＴＨやＥｌｅｘａ（登録商標）の場合のように、他のエリシターと比べて、相乗剤としての効果も有することができる。
【００１６】
本発明は、特に植物の防護の応答増強剤（相乗剤）として亜リン酸及び／又はその誘導体の１つの新しい使用に関する。
【００１７】
本発明は、ｉ）Ｐｈｙｔｏｐｈｔｈｏｒａ  ｍｅｇａｓｐｅｒｍａ（Ｐｍｇ）の細胞壁から単離されるβ−グルカンタイプのオリゴ糖、ｉｉ）ペクチンのオリゴマー、ｉｉｉ）Ｐ．ｍｅｇａｓｐｅｒｍａ  Ｈ２０によって分泌されるタンパク質、β−メガスペルミンなど、様々な性質を有するエリシターを施用した後の、特にタバコの防護応答（ＰＡＬ、ＬＯＸ活性の誘発、ＡＳの産生）に対する亜リン酸（Ｈ３ＰＯ３）及びフォセチルナトリウム、そしてさらにＢｉｏｎ（登録商標）の相乗効果に関する。
【００１８】
本発明は、特にいろいろな種類のエリシター（藻類エキス、Ｅｌｅｘａ（登録商標）、Ｂｉｏｎ（登録商標）、サリチル酸及び／又はエステル、酵母エキス、トレハロース、非宿主菌類の死亡した又は生きた胞子（大麦のｏｉｄｉｕｍ菌の胞子））を施用することによって、生物試験の範囲で、得られる応答に対する亜リン酸（Ｈ３ＰＯ３）及びフォセチルアルミニウム、そしてさらにＥｌｅｘａ（登録商標）の相乗効果に関する。
【００１９】
前記の使用は、場合によって、既知の殺真菌剤を使った古典的な殺真菌剤処理によって完了させることができるということは十分了解され、本発明の範囲に含められる。この処理は、Ａ及び／又はＢの施用と同時に行うこともできるし、別々に行うこともできる。
【００２０】
さらに、本発明は、エリシターと、亜リン酸誘導体を含む相乗的な抗真菌剤及び／又は抗細菌剤及び／又は抗ウイルス剤組成物及び前記の組成物を使用し、治療又は予防として栽培物を真菌の攻撃から保護するための方法に関する。
【００２１】
活性スペクトル及び抗真菌作用を有するそのような化合物の効果を向上させること、又は、より有効性の高い産生物を得るために別の分子と結集してそれらを強化すること、又はさらに、これら新しい抗真菌剤に抵抗する真菌株の出現に備えることが常に望ましい。
【００２２】
さらに、改善された作用の持続と、寄生虫を効果的に駆除するために必要な植物衛生上の処置の回数の間隔を時間的に置くような性格に恵まれた抗真菌産生物を配することが極めて望ましい。
【００２３】
真菌の攻撃に対して栽培物の効果的な防護を十分確保しながら、環境に拡散する化学薬剤の量を減らすことが出来ることはいかなる場合でも特に有益である。
【００２４】
かくして、前記の１つ（又は複数個）の目的は、本発明によって実現が可能であることが明らかとなった。
【００２５】
さらに、本発明は、化合物Ａとしての、様々な由来及び性質を有する１つ又は複数個のエリシター、フォセチルアルミニウム塩、フォセチルナトリウム塩などの亜リン酸エステル金属塩としての亜リン酸誘導体、亜リン酸及び／又はそれらのアルカリ金属塩又はアルカリ土類金属塩を含む群から選択される少なくとも１つの抗真菌性化合物Ｂ、及び／又は相乗性を同様に付与された１つ又は複数個のエリシター化合物を含む、相乗的な抗真菌性及び／又は抗細菌性及び／又は抗ウイルス性組成物を目的とする。
【００２６】
前記抗真菌性及び／又は抗細菌性及び／又は抗ウイルス性組成物は、それが向けられる使用に従って、化合物Ｂのみを含むこともできるし、さらにそのような化合物以外に、さらにたとえば１、２又は３種類の化合物Ｂを含むこともできることは十分了解される。
【００２７】
前に規定された化合物Ｂのより一層特別に好ましい意義の中で、フォセチルアルミニウムがさらに好ましい。
【００２８】
全く予想外なことに、本発明に従う組成物は、特に小麦、稲、大麦などの単子葉植物及び、特にブドウやナス科植物などの双子葉植物に対して特に有害な菌類に対して別々に取られる活性物質の作用を著しく向上させる。この活性の向上は、特に構成成分それぞれの用量の引き下げという形で現れ、使用者及び環境にとって特に有益である。
【００２９】
この抗真菌性及び／又は抗細菌性及び／又は抗ウイルス性混合物（同時に又は別々に使用する）はまた、Ｃｏｌｂｙ式とも呼ばれる次の式
Ｅ＝Ｘ＋Ｙ−Ｘ．Ｙ／１００
（式中、
−Ｅは、用量がそれぞれａ及びｂの２種類の抗真菌薬Ａ及びＢの混合物により、真菌の増殖を阻止すると予想されるパーセンテージであり、
−Ｘは、用量ａの抗真菌性及び／又は抗細菌性及び／又は抗ウイルス性化合物により観察される阻止パーセンテージであり、
−Ｙは、用量ｂの抗真菌性及び／又は抗細菌性及び／又は抗ウイルス性化合物により観察される阻止パーセンテージである。）
を使って、Ｌｉｍｐｅｌ，  Ｌ．Ｅ．，  Ｐ．Ｈ．  Ｓｃｈｕｌｄｔ及びＤ．  Ｌａｍｍｏｎｔ，  １９６２，  Ｐｒｏｃ．  ＮＥＷＣＣ  １６：４８−５３が定義した方法を適用して実証された協力特性を示している。観察された混合物の阻止率がＥ以上であれば、協力効果がある。
【００３０】
活性物質Ｂの共通の名称に対応する構造は、少なくとも次の２つの著書で指摘されている。
【００３１】
−Ｃｌｉｖｅ  ＴＯＭＬＩＮ  編集、Ｂｔｒｉｔｉｓｈ  Ｃｒｏｐ  Ｐｒｏｔｅｃｔｉｏｎ  Ｃｏｕｎｃｉｌ発行の“Ｔｈｅ  ｐｅｓｔｉｃｉｄｅ  ｍａｎｕａｌ”，  第１１版（ｐａｇｅ  ６２９）
−Ａｓｓｏｃｉａｔｉｏｎ  ｄｅ  Ｃｏｏｒｄｉｎａｔｉｏｎ  Ｔｅｃｈｎｉｑｕｅ  Ａｇｒｉｃｏｌｅ出版、「植物病虫害防除索引  １９９８」第３４版
本発明による抗真菌性及び／又は抗細菌性及び／又は抗ウイルス性組成物には、活性物質として、農耕上容認される固体又は液体支持体及び／又はやはり農耕上容認される界面活性剤と混合された化合物Ａ及び化合物Ｂがある。特に不活性のよく用いられる支持体及び界面活性剤が使用可能である。これら化合物には、対象となる作物に噴霧器のような適切な装置でそのまま使用できる組成物だけでなく、使用前に希釈する必要がある市販の濃縮組成物がある。活性物質とは少なくとも１つの化合物Ａと少なくとも１つの化合物Ｂとの配合物を言う。
【００３２】
これらの組成物はまた、たとえばその他の既知の抗真菌薬、保護コロイド、接着剤、粘稠剤、チキソトロピー剤、浸透剤、安定剤、マスキング剤等のあらゆるその他の成分を含む場合がある。より一般的には、化合物Ａ及びＢは、通常の成形技術に対応するどのような固体又は液体添加剤とも配合することが可能である。
【００３３】
本発明による組成物は、一般に、活性物質を０．０５〜９５％（重量）、１つ又は複数の固体又は液体支持体かつ場合によっては１つ又は複数の界面活性剤を含む。
【００３４】
本開示における「支持体」とは、活性物質が植物の空気中にのびる部分に使用しやすくするために活性物質が配合されている、天然の又は合成の有機又は無機物質を指す。したがってこの支持体は不活性であり、農耕上特に対象となる植物に使用可能なものでなければならない。支持体は固体（粘土、天然又は合成ケイ酸塩、シリカ、樹脂、蝋、固形肥料等）又は（水、アルコール特にブタノール等）であってもよい。
【００３５】
界面活性剤は、イオン系又は非イオン系の乳化剤、分散剤又は湿潤剤又はそのような界面活性剤の混合物であってもよい。たとえば、ポリアクリル酸の各塩、リグノスルホン酸の各塩、フェノールスルホン酸又はナフタレンスルホン酸の各塩、脂肪アルコール又は脂肪酸又は脂肪アミンの酸化エチレン重縮合体、置換されたフェノール（特にアルキルフェノール又はアリールフェノール）、スルホコハク酸エステルの塩、タウリンの誘導体（特にアルキルタウリン酸塩）、ポリオキシエチル化したアルコール又はフェノールのリン酸エステル、脂肪酸及びポリオール酸のエステル、上記化合物の硫酸、スルホン酸、リン酸官能基を有する誘導体を挙げることができる。一般に、活性物質及び／又は不活性支持体が水に可溶でなく、適用媒体剤が水である場合、少なくとも１つの界面活性剤が存在することが不可欠である。
【００３６】
したがって、本発明による農業用組成物は０．０５〜９５％（重量）という非常に幅広い範囲の割合で活性物質を含有していてもよい。界面活性剤の含有量は５〜４０重量％が適切である。特別な指示が無い限り、特許請求の範囲を含む本明細書で示すパーセンテージは重量における割合である。
【００３７】
本発明によるこれら組成物はそれ自体固体又は液体などさまざまな形態であってもよい。
【００３８】
固体組成物の形態としては、粉末散布用の粉末（活性物質含有量が１００％まで可能）及び特に押出し、締固め、顆粒状支持体への浸透、粉末からの造粒による顆粒剤（これら顆粒剤中の活性物中の含有量は０．５〜８０％である）、発泡性の錠剤又はタブレットを挙げることができる。
【００３９】
本発明による抗真菌性及び／又は抗細菌性及び／又は抗ウイルス性組成物はさらに粉末散布用の粉末剤として使用することができ、また活性物質５０ｇ、滑石９５０ｇを含む組成物、活性物質２０ｇ、細かく砕いたシリカ１０ｇ、滑石９７０ｇを含む組成物を使用してもよく、これらの成分を混合・細粉して、できた混合物を粉末散布によって使用する。
【００４０】
液体組成物形態又は使用時液体組成物とするための形態としては、溶液、特に水中に可溶な濃縮物、乳濁液、濃縮懸濁液、エアゾール、湿潤性粉末（又は噴霧用粉末）混練物、ゲル状物がある。
【００４１】
噴霧用として使用することができる濃縮懸濁液は、安定した、沈殿しない流体生成物になるように調製するもので、こうした懸濁液は通常活性物質を１０〜７５％、界面活性剤を０．５〜１５％、チキソトロピー剤を０．１〜１０％、消泡剤、腐食防止剤、安定剤、浸透剤、接着剤のような適切な添加物、かつ支持体として、水又は活性物質がほとんど溶解しない又は全く溶解しない有機液体（ある種の有機性の又は無機塩の固体活性物質は沈降を防ぐために又は水に対する抗ゲル化剤として支持体中に溶解してもよい）などの適切な添加物を０〜１０％含有している。
【００４２】
例として、ここに濃縮懸濁液を示す。
【００４３】
例ＳＣ１
−活性物質                                          ５００ｇ
−ポリエトキシル化したリン酸トリスチリルフェノール  ５０ｇ
−ポリエトキシル化したアルキルフェノール            ５０ｇ
−ポリカルボン酸ナトリウム                          ２０ｇ
−エチレングリコール                                ５０ｇ
−有機ポリシロキサンオイル（消泡剤）                  １ｇ
−多糖類                                              １．５ｇ
−水                                                ３１６．５ｇ
湿潤性粉末（又は噴霧用粉末）は通常、活性物質を２０〜９５％含むように調製し、これらの粉末は通常固体支持体の他に、湿潤剤を０〜３０％、分散剤を３〜２０％、必要な場合は、１つ又は複数の安定剤及び／又は、浸透剤、接着剤、又は抗凝固剤、着色料などのその他の添加物を含む。
【００４４】
噴霧用又は湿潤性粉末を得るためには、適切な混合器内で活性物質を添加物質とよく混合し、製粉器又はその他の適切な粉砕器で粉砕する。こうして湿潤性に富み懸濁化に有利な噴霧用粉末を得、水で所望の濃度に懸濁化することで、特に植物の葉に使用するのにふさわしい懸濁液となる。
【００４５】
湿潤性粉末の代わりに混練物としてもよい。混練物の形成及び使用上の条件及び方法は、新液又は噴霧用粉末の場合と類似している。
【００４６】
例として、ここに湿潤性粉末（又は噴霧用粉末）のさまざまな組成物を示す。
【００４７】
例ＰＭ１
−活性物質                                        ５０％
−エトキシル化脂肪アルコール（湿潤剤）            ２．５％
−エトキシル化フェニルエチルフェノール（分散剤）  ５％
−炭酸カルシウム（不活性支持体）                  ４２．５％
例ＰＭ２
−活性物質                                        １０％
−８〜１０酸化エチレンによりエトキシル化されたＣ１３分岐型合成オキソアルコール（湿潤剤）                                    ０．７５％
−中性リグノスルホン酸カルシウム（分散剤）        １２％
−炭酸カルシウム（不活性充填剤）                  ｑ．ｓ．ｐ．１００％
例ＰＭ３
この湿潤性粉末は例ＰＭ２と同じ成分を、次の割合で含んでいる。
【００４８】
−活性物質                                ７５％
−湿潤剤                                  １．５０％
−分散剤                                  ８％
−炭酸カルシウム（不活性充填剤）          ｑ．ｓ．ｐ．１００％
例ＰＭ４
−活性物質                                            ９０％
−エトキシル化脂肪アルコール（湿潤剤）                ４％
−エトキシル化フェニルエチルフェノール（分散剤）      ６％
例ＰＭ５
−活性物質                                                ５０％
−アニオン及び非イオン界面活性剤の混合物（湿潤剤）        ２．５％
−リグノスルホン酸ナトリウム（分散剤）                    ５％
−カオリン粘土（不活性支持体）                            ４２．５％
たとえば本発明による湿潤性粉末又は乳化可能濃縮物を水で希釈することで得られた組成物のような水性分散剤又は乳濁液は、本発明の一般的枠内に含まれる。乳液は油分中水タイプ又は水分中油タイプのいずれであってもよく、「マヨネーズ」のような濃い粘性を有していてもよい。
【００４９】
本発明による殺菌組成物は、やはり本発明に含まれる水中に分散する顆粒形態で配合組成を決定してもよい。
【００５０】
これらの分散性顆粒剤は、一般に見かけ密度がおよそ０．３〜０．６であり、粒子の大きさは一般におよそ１５０〜２０００、好ましくは３００〜１５００ミクロンである。
【００５１】
これらの顆粒剤の活性物質含有量は、一般におよそ１〜９０％、好ましくは２５〜９０％である。
【００５２】
顆粒剤の残りの部分は主に固体充填剤、場合によっては、顆粒剤に水中での分散性を付与する界面活性補助剤である。これらの顆粒剤には、含まれる充填剤が水中に可溶であるか、不溶であるかによって主に２つの異なるタイプがある。充填剤が水溶性である場合は、無機質又は、好ましくは有機質であってもよい。ウレアで特に良好な結果を得た。不溶性充填剤の場合にはたとえばカオリン又はベントナイトのような無機質が好ましい。このとき有利には界面活性剤が含まれており（顆粒剤のおよそ２〜２０重量％）、その半分以上はアルカリ性又はアルカリ土類ポリナフタレンスルホン酸塩又はアルカリ性又はアルカリ土類リグノスルホン酸塩のような少なくとも１種類の、特にアニオン系の分散剤で構成され、残りの部分はアルカリ性又はアルカリ土類アルコイルナフタレンスルホン酸塩のような非イオン系又はアニオン系の湿潤剤から成る。
【００５３】
さらに不可欠なものではないが、消泡剤のようなその他の補助剤を添加してもよい。
【００５４】
本発明による顆粒剤は、必要な成分を混合し、次いでそれ自体既知の複数の方法（顆粒製造装置、流体床、噴霧器、押出し等）で調製することができる。最後に通常はクラッシングを行い、下記の範囲内で選択した粒子の大きさに篩い分ける。また上記の方法で得た、活性物質を含む組成物を含浸させた顆粒剤を使用してもよい。
【００５５】
好ましくは、下記の各実施例に示す方法で操作を行う押出しで得る。
【００５６】
実施例ＧＤ１：分散性顆粒剤
混合器内で、活性物質９０重量％とウレア１０％とを混合して真珠粒状にする。混合物を串付粉砕器（ｂｒｏｙｅｕｒ  ａ  ｂｒｏｃｈｅｓ）の中で粉砕する。得られた粉末をおよそ８重量％の水で湿らせる。この湿らせた粉末を、穴あきローラー付押出し器の中で押し出す。得られた顆粒剤を乾燥し、クラッシングして篩いかけ、１５０〜２０００ミクロンの大きさに揃える。
【００５７】
実施例ＧＤ２：分散性顆粒剤
混合器内で、次の成分を混合する。
【００５８】
−活性物質                                          ７５％
−湿潤剤（アルキルナフタレンスルホン酸ナトリウム）  ２％
−分散剤（ポリナフタレンスルホン酸ナトリウム）      ８％
−水分中の不活性充填剤（カオリン）                  １５％
この混合物を水の存在下に流体床で顆粒状にし、乾燥してクラッシングし、篩いにかけて０．１５〜０．８０ｍｍの大きさの顆粒剤を得る。
【００５９】
これらの顆粒剤は単体で使用してもよく、水の中で必要な含有量の溶液状、又は分散状にする。また、特に抗真菌剤など、湿潤性粉末又は顆粒状又は水性懸濁状の形態の他の活性物質との配合物を調製するために、これら顆粒剤を使用してもよい。
【００６０】
貯蔵又は輸送に適した組成物に関しては、活性物質を０．５〜９５％（重量）含むものがさらに有利である。
【００６１】
本発明は、作物の植物病原性真菌類及び／又は細菌及び／又はウイルスに対する治癒又は予防、好ましくは予防防除としての対策方法を目的とし、本方法は、たとえば本発明による抗真菌及び／又は抗細菌及び／又は抗ウイルス組成物中の１つ又は複数の化合物Ａと及び少なくとも１つの化合物Ｂとの配合物を有効かつ非植物毒性量で植物の空気中で成長する部分に対して使用することを特徴とする。本方法全体としては、場合によってはさらに既知の殺真菌剤を化合物Ａ及び／又はＢと同時に又は別々に使用する追加処理を行ってもよい。
【００６２】
本方法により退治することのできる作物の植物病原性菌類には特に以下のようなものがある。
【００６３】
−卵菌類
−Ｐｈｙｔｏｐｈｔｈｏｒａ  ｐｈａｓｅｏｌｉ、Ｐｈｙｔｏｐｈｔｈｏｒａ  ｃｉｔｒｏｐｈｔｈｏｒａ、Ｐｈｙｔｏｐｈｔｈｏｒａ  ｃａｐｓｉｃｉ、Ｐｈｙｔｏｐｈｔｈｏｒａ  ｃａｃｔｏｒｕｍ、Ｐｈｙｔｏｐｈｔｈｏｒａ  ｐａｌｍｉｖｏｒａ、Ｐｈｙｔｏｐｈｔｈｏｒａ  ｃｉｎｎａｍｏｎｉ、Ｐｈｙｔｏｐｈｔｈｏｒａ  ｍｅｇａｓｐｅｒｍａ、Ｐｈｙｔｏｐｈｔｈｏｒａ  ｐａｒａｓｉｔｉｃａ、Ｐｈｙｔｏｐｈｔｈｏｒａ  ｆｒａｇａｒｉａｅ、Ｐｈｙｔｏｐｈｔｈｏｒａ  ｃｒｙｐｔｏｇｅａ、Ｐｈｙｔｏｐｈｔｈｏｒａ  ｐｏｒｒｉ、Ｐｈｙｔｏｐｈｔｈｏｒａ  ｎｉｃｏｔｉａｎａｅ、Ｐｈｙｔｏｐｈｔｈｏｒａ  ｉｎｆｅｓｔａｎｓなどの疫病菌属（合弁花類（ｓｏｌａｎｅｅｓ）のべと病、特にジャガイモ又はトマト）
−ツユカビ科、特にＰｌａｓｍｏｐａｒａ  ｖｉｔｉｃｏｌａ（葡萄べと病）、Ｐｌａｓｍｏｐａｒａ  ｈａｌｓｔｅｄｅｉ（ひまわりべと病）、Ｐｓｅｕｄｏｐｅｒｏｎｏｓｐｏｒａ種（特にウリ科植物のべと病（Ｐｓｅｕｄｏｐｅｒｏｍｏｓｐｏｒａ  ｃｕｂｅｎｓｉｓ）及びカラハナソウ属植物のべと病（Ｐｓｅｕｄｏｐｅｒｏｎｏｓｐｏｒａ  ｈｕｍｕｌｉ））、Ｂｒｅｍｉａ  ｌａｃｔｕｃａｅ（レタスべと病）、Ｐｅｒｏｎｏｓｐｏｒａ  ｔａｂａｃｉｎａｅ（たばこべと病）、Ｐｅｒｏｎｏｓｐｏｒａ  ｄｅｓｔｒｕｃｔｏｒ（タマネギべと病）、Ｐｅｒｏｎｏｓｐｏｒａ  ｐａｒａｓｉｔｉｃａ（キャベツべと病）、Ｐｅｒｏｎｏｓｐｏｒａ  ｆａｒｉｎｏｓａ（アンディーブべと病及びテンサイべと病）
−子嚢菌類（ａｓｃｏｍｙｃｅｔｅｓ）
−Ａｌｅｒｎａｒｉａ属、たとえばＡｌｔｅｒｎａｒｉａ  ｓｏｌａｎｉ（合弁花類の葉枯病、特にトマト、ジャガイモ）
−Ｇｕｉｇｎａｒｄｉａ属、特にＧｕｉｇｎａｒｄｉａ  ｂｉｄｗｅｌｌｉｉ（葡萄の腐敗病）
−Ｖｅｎｔｕｒｉａ属、たとえばＶｅｎｔｕｒｉａ  ｉｎａｅｑｕａｌｉｓ、Ｖｅｎｔｕｒｉａ  ｐｉｒｉｎａ（リンゴ又は西洋なしの黒星病）
−Ｏｉｄｉｕｍ属、たとえば葡萄のうどん粉病（Ｕｎｃｉｎｕｌａ  ｎｅｃａｔｏｒ）、野菜作物のうどん粉病、たとえばＥｒｙｓｉｐｈｅ  ｐｏｌｙｇｏｎｉ（アブラナ科のうどん粉病）、Ｌｖｅｉｌｌｕｌａ  ｔａｕｒｉｃａ、Ｅｒｙｓｉｐｈｅ  ｃｉｃｈｏｒａｃｅａｒｕｍ、Ｓｐｈａｅｒｏｔｈｅｃａ  ｆｕｌｉｇｅｎａ（ウリ科、キク科、トマトのうどん粉病）、Ｅｒｙｓｉｐｈｅ  ｃｏｍｍｕｎｉｓ（テンサイ、キャベツのうどん粉病）、Ｅｒｙｓｉｐｈｅ  ｐｉｓｉ（エンドウ豆、ウマゴヤシ属のうどん粉病）、Ｅｒｙｓｉｐｈｅ  ｐｏｌｙｐｈａｇａ（インゲン豆、キュウリのうどん粉病）、Ｅｒｙｓｉｐｈｅ  ｕｍｂｅｌｌｉｆｅｒａｒｕｍ（セリ科、特にニンジンのうどん粉病）、Ｓｐｈａｅｒｏｔｈｅｃａ  ｈｕｍｕｌｉ（ホップのうどん粉病）、小麦、大麦のうどん粉病（Ｅｒｙｓｉｐｈｅ  ｇｒａｍｉｎｉｓ  ｆｏｒｍａ  ｓｐｅｃｉｅ  ｔｒｉｔｉｃｉ及びＥｒｙｓｉｐｈｅ  ｇｒａｍｉｎｉｓ  ｆｏｒｍａ  ｓｐｅｃｉｅ  ｈｏｒｄｅｉ）
−Ｔａｐｈｒｉｎａ属、たとえばＴａｐｈｒｉｎａ  ｄｅｆｏｒｍａｎｓ（桃の縮葉病）
−Ｓｅｐｔｏｒｉａ属、たとえばＳｅｐｔｏｒｉａ  ｎｏｄｏｒｕｍ又はＳｅｐｔｏｒｉａ  ｔｒｉｔｉｃｉ（穀類のオオムギハガレ病）
−Ｓｃｌｅｒｏｔｉｎｉａ属、たとえばＳｃｌｅｒｏｔｉｎｉａ  ｓｃｌｅｒｏｔｉｒｉｕｍ
−Ｐｓｅｕｄｏｃｅｒｃｏｓｐｏｒｅｌｌａ、たとえばＰ．ｈｅｒｐｏｔｒｉｃｈｏｉｄｅｓ（穀類の眼紋病）
−Ｂｏｔｒｙｔｉｓ  ｃｉｎｅｒｅａ属（葡萄、野菜及び集約栽培野菜、エンドウ豆、・・・）
−Ｐｈｏｍｏｐｓｉｓ  ｖｉｔｉｃｏｌａ（葡萄の黒菌病）
−担子菌類
−Ｐｕｃｃｉｎｉａ属、たとえばＰｕｃｃｉｎｉａ  ｒｅｃｏｎｄｉｔａ又はｓｔｒｉｉｆｏｒｍｉｓ（小麦のさび病）、Ｐｕｃｃｉｎｉａ  ｔｒｉｔｉｃｉｎａ、Ｐｕｃｃｉｎｉａ  ｈｏｒｄｅｉ
−Ｒｈｉｚｏｃｔｏｎｉａ  ｓｐｐ科、たとえばＲｈｉｚｏｃｔｏｎｉａ  ｓｏｌａｎｉ
本方法により抑制することができる細菌及びウイルスによる病気は特に以下のものである。
【００６４】
−火傷病、Ｅｒｗｉｎｉａ  ａｍｙｌｏｖｏｒａ
−核果樹のバクテリア罹病斑、Ｘａｎｔｈｏｍｏｎａｓ  ｃａｍｐｅｓｔｒｉｓ
−西洋なしの細菌症、Ｐｓｅｕｄｏｍｏｎａｓ  ｓｙｒｉｎｇａｅ
−米、穀類の細菌症
−米、野菜及び穀物につくウイルス
本発明の枠内で取り扱う作物は好ましくは穀類（小麦、大麦、トウモロコシ、米）、野菜（インゲン豆、タマネギ、ウリ科植物、キャベツ、ジャガイモ、トマト、ピーマン、ほうれん草、エンドウ豆、レタス、セロリ、アンディーブ）、果物（オランダイチゴ、ヨーロッパキイチゴ）、果樹（リンゴ、洋なし、サクランボ、チョウセン人参、レモン、ココヤシ、ペカン、カカオ、胡桃、パラゴムノキ、オリーブ、ポプラ、バナナ）、葡萄、ひまわり、テンサイ、タバコ及び観賞植物である。
【００６５】
対象とする真菌類又は細菌による分類だけでなく、対象となる作物による分類も以下のように示すことができる。
【００６６】
−葡萄：うどん粉病（Ｕｎｃｉｍｕｌａ  ｎｅｃａｔｏｒ）、べと病（Ｐｌａｓｍｏｐａｒａ  ｖｉｔｉｃｏｌａ）、灰色腐敗病（Ｂｏｔｒｙｔｉｓ  ｃｉｎｅｒｅａ）、黒菌病（Ｐｈｏｍｏｐｓｉｓ  ｖｉｔｉｃｏｌａ）及び腐敗病（Ｇｕｉｇｎａｒｄｉａ  ｂｉｄｗｅｌｌｉｉ）
−合弁花類：べと病（Ｐｈｙｔｏｐｈｔｈｏｒａ  ｉｎｆｅｓｔａｎｓ）、葉枯病（Ａｌｔｅｒｎａｒｉａ  ｓｏｌａｎｉ）及び腐敗病（Ｂｏｔｒｙｔｉｓ  ｃｉｎｅｒｅａ）
−野菜：べと病（Ｐｅｒｏｎｏｓｐｏｒａ  ｓｐ．，  Ｂｒｅｍｉａ  ｌａｃｔｕｃａｅ、Ｐｓｅｕｄｏｐｅｒｏｎｏｓｐｏｒａ  ｓｐ）、葉枯病（Ａｌｅｒｎａｒｉａ  ｓｐ．）、雪腐病（Ｓｃｌｅｒｏｔｉｎｉａ  ｓｐ．）、腐敗病（Ｂｏｔｒｙｔｉｓ  ｃｉｎｅｒｅａ）、苗又は根の腐敗病（Ｒｈｉｚｏｃｔｏｎｉａ  ｓｐｐ．）、うどん粉病（Ｅｒｙｓｉｐｈｅ  ｓｐ、Ｓｐｈａｅｒｏｔｈｅｃａ  ｆｕｌｉｇｉｎｅａ）
−樹木：黒星病（Ｖｅｎｔｕｒｉａ  ｉｎａｅｑｕａｌｉｓ、Ｖ．  ｐｉｒｉｎａ）、細菌病（ｅｒｗｉｎｉａ  ａｍｙｌｏｖｏｒａ、ｘａｎｔｈｏｍｏｎａｓ  ｃａｍｐｅｓｔｒｉｓ、ｐｓｅｕｄｏｍｏｎａｓ  ｓｙｒｉｎｇａｅ）、うどん粉病（Ｐｏｄｏｓｐｈａｅｒａ  ｌｅｕｃｏｔｒｉｃｈａ）及び灰星病（Ｍｏｎｉｌｉａ  ｆｒｕｃｔｉｇｅｎａ）
−柑橘類：黒星病（Ｅｌｓｉｎｏｅ  ｆａｗｃｅｔｔｉ）、黒点病菌（Ｐｈｏｍｏｐｓｉｓ  ｃｉｔｒｉ）及び疫病菌種による病気
−小麦：種子の次の病気に対して：紅色雪腐病（Ｍｉｃｒｏｄｏｃｈｉｕｍ  ｎｉｖａｌｅ及びＦｕｓａｒｉｕｍ  ｒｏｓｅｕｍ）、黒穂病（Ｔｉｌｌｅｔｉａ  ｃａｒｉｅｓ，  Ｔｉｌｌｅｔｉａ  ｃｏｎｔｒｏｖｅｒｓａ  又はＴｉｌｌｅｔｉａ  ｉｎｄｉｃａ）、オオムギハガレ病（Ｓｅｐｔｏｒｉａ  ｎｏｄｏｒｕｍ）
−小麦：植物の（地下茎、根などの）空気中にのびる部分の次の病気に対して：眼紋病（Ｐｓｅｕｄｏｃｅｒｃｏｓｐｏｒｅｌｌａ  ｈｅｒｐｏｔｒｉｃｈｏｉｄｅｓ）、縮れ病（Ｇａｅｕｍａｎｎｏｍｙｃｅｓ  ｇｒａｍｉｎｉｓ）、根元の紅色雪腐病（Ｆ．ｃｕｌｍｏｒｕｍ、Ｆ．ｇｒａｍｉｎｅａｒｕｍ）、株腐病（Ｒｈｉｚｏｃｔｏｎｉａ  ｃｅｒｅａｌｉｓ）、うどん粉病（Ｅｒｙｓｉｐｈｅ  ｇｒａｍｉｎｉｓ  ｆｏｒｍａ  ｓｐｅｃｉｅ  ｔｒｉｔｉｃｉ）、さび病（Ｐｕｃｃｉｎｉａ  ｓｔｒｉｉｆｏｒｍｉｓ及びＰｕｃｃｉｎｉａ  ｒｅｃｏｎｄｉｔａ）及びオオムギハガレ病（Ｓｅｐｔｏｒｉａ  ｔｒｉｔｉｃｉ及びＳｅｐｔｏｒｉａ  ｎｏｄｏｒｕｍ）
−小麦及び大麦：バクテリア及びウイルスによる病気、たとえば大麦の萎黄病に対して、
−大麦：種子の次の病気に対して：斑点病（Ｐｙｒｅｎｏｐｈｏｒａ  ｇｒａｍｉｎｅａ、Ｂｉｐｏｌａｒｉｓ、Ｐｙｒｅｎｏｐｈｏｒａ  ｔｅｒｅｓ及びＣｏｃｈｌｉｏｂｏｌｕｓ  ｓａｔｉｖｕｓ）、裸黒穂病（Ｕｓｔｉｌａｇｏ  ｎｕｄａ）及び紅色雪腐病（Ｍｉｃｒｏｄｏｃｈｉｕｍ  ｎｉｖａｌｅ及びＦｕｓａｒｉｕｍ  ｒｏｓｅｕｍ）
−大麦：植物の（地下茎、根などの）空気中にのびる部分の次の病気に対して：眼紋病（Ｐｓｅｕｄｏｃｅｒｃｏｓｐｏｒｅｌｌａ  ｈｅｒｐｏｔｒｉｃｈｏｉｄｅｓ）、斑点病（Ｐｙｒｅｎｏｐｈｏｒａ  ｔｅｒｅｓ及びＣｏｃｈｌｉｏｂｏｌｕｓ  ｓａｔｉｖｕｓ）、うどん粉病（Ｅｒｙｓｉｐｈｅ  ｇｒａｍｉｎｉｓ  ｆｏｒｍａ  ｓｐｅｃｉｅ  ｈｏｒｄｅｉ）、赤さび病（Ｐｕｃｃｉｎｉａ  ｈｏｒｄｅｉ）及び雲形病（Ｒｈｙｎｃｈｏｓｐｏｒｉｕｍ  ｓｅｃａｌｉｓ）
−ジャガイモ：塊茎の病気に対して（特にＨｅｌｍｉｎｔｈｏｓｐｏｒｉｕｍ  ｓｏｌａｎｉ、Ｐｈｏｍａ  ｔｕｂｅｒｏｓａ、Ｒｈｉｚｏｃｔｏｎｉａ  ｓｏｌａｎｉ、Ｆｕｓａｒｉｕｍ  ｓｏｌａｎｉ）及びある種のウイルス病（ｖｉｒｕｓ  Ｙ）
−綿：種子から発生する新芽の次の病気に対して：根腐病（Ｒｈｉｚｏｃｔｏｎｉａ  ｓｏｌａｎｉ、Ｆｕｓａｒｉｕｍ  ｏｘｙｓｐｏｒｕｍ）、黒根腐病（Ｔｈｉｅｌａｖｉｏｐｓｉｓ  ｂａｓｉｃｏｌａ）
−エンドウ豆、種子の次の病気に対して：炭疽病（Ａｓｃｏｃｈｙｔａ  ｐｉｓｉ、Ｍｙｃｏｓｐｈａｅｒｅｌｌａ  ｐｉｎｏｄｅｓ）、腐敗病（Ｆｕｓａｒｉｕｍ  ｏｘｙｓｐｏｒｕｍ）：、灰斑病（Ｂｏｔｒｙｔｉｓ  ｃｉｎｅｒｅａ）、さび病（Ｕｒｏｍｙｃｅｓ  ｐｉｓｉ）
−菜種：種子の次の病気に対して：Ｐｈｏｍａ  ｌｉｎｇａｍ  及びＡｌｔｅｒｎａｒｉａ  ｂｒａｓｓｉｃａｅ、腐敗病（Ｂｏｔｒｙｔｉｓ  ｃｉｎｅｒｅａ）及び菌核病（Ｓｃｌｅｒｏｔｉｎｉａ  ｓｃｌｅｒｏｔｉｒｉｕｍ）
−トウモロコシ：種子の病気に対して：（Ｒｈｉｚｏｐｕｓ  ｓｐ．，  Ｐｅｎｉｃｉｌｌｉｕｍ  ｓｐ．，  Ｔｒｉｃｈｏｄｅｒｍａ  ｓｐ．，  Ａｓｐｅｒｇｉｌｌｕｓ  ｓｐ．及びＧｅｂｂｅｒｅｌｌａ  ｆｕｊｉｋｕｒｏｉ）、斑点病（Ｂｉｐｏｌａｒｉｓ）、紅色雪腐病（Ｆｕｓａｒｉｕｍ  ｏｘｙｓｐｏｒｕｍ）
−米：苗又は根の腐敗病（Ｒｈｉｚｏｃｔｏｎｉａ  ｓｐｐ．）
−アマ：種子の病気に対して（Ａｌｔｅｒｎａｒｉａ  ｌｉｎｉｃｏｌａ）
−バナナ：褐斑病（Ｍｙｃｏｓｐｈａｅｒｅｌｌａ  ｆｉｇｉｅｎｓｉｓ）
−芝生：さび病、うどん粉病、斑点病、地中繁殖病菌による病気（Ｍｃｒｏｄｏｃｈｉｕｍ  ｎｉｖａｌｅ、Ｐｙｔｈｉｕｍ  ｓｐ．、Ｒｈｉｚｏｃｔｏｎｉａ  ｓｏｌａｎｉ、Ｓｃｌｅｒｏｔｉｎｉａ  ｈｏｍｅｏｃａｒｐａ．．．．）  −森林樹：苗腐敗病に対して（Ｆｕｓａｒｉｕｍ  ｏｘｙｓｐｏｒｕｍ、Ｒｈｉｚｏｃｔｏｎｉａ  ｓｏｌａｎｉ）
抗真菌性及び／又は抗細菌性及び／又は抗ウイルス性組成物は次のようなさまざまな処理方法によって使用する。
【００６７】
−前記組成物を含む液体を、作物の空気中で成長する部分へ噴霧
−粉末散布、顆粒剤又は粉末剤を土壌に混入、潅水、樹木内への注入及び／又は塗布（塗装）及び／又はパッチ（包帯）による塗布、腐植土中への混入及び／又は土壌への栄養液
作物の空気中で成長する部分への液体の噴霧が好ましい処理方法である。
【００６８】
「有効かつ非植物毒性量」とは、作物に存在している又は出現する可能性のある細菌の抑制又は駆除を可能とするのに十分でありながら、かつ前記作物に対して顕著な植物毒性の兆候を引き起こさない、本発明による組成物の量を言う。このような量は、駆除すべき細菌類、作物の種類、気象条件、本発明による抗真菌性及び／又は抗細菌性及び／又は抗ウイルス性組成物中に含まれる化合物により、かなり異なる可能性がある。この量を当業者の可能な範囲で実地に組織だった試験方法を行って決定してもよい。
【００６９】
最後に、本発明は、同時に、連続的に又は別々に使用することにより、培地の植物病原性真菌類及び／又は細菌類及び／又はウイルスを抑制する少なくとも１つの化合物Ａ及び少なくとも１つの化合物Ｂを含む製品に関する。
【００７０】
以下の各実施例はいかなる制限もなく、もっぱら本発明の例証として示すものである。
【００７１】
ＰＡＬ及びＬＯＸ及びサリチル酸のような酵素の生成を測定して、タバコの細胞培養における防御反応の結果もたらされる生理的効果について、かつ小麦のうどん粉病と葡萄のべと病とが結合した場合の抗真菌防除効果について実験を行った。
【００７２】
実施例１：生理学的効果
１）タバコの細胞に対する生物化学的マーカーの選択
◆ＰＡＬ（フェニルアラニン・アンモニアリアーゼ）（植物（特に単子葉植物）の防御反応において起こるフェニルプロパノイド（ｐｈｅｎｙｌ  ｐｒｏｐａｎｏｉｄ）、特に木質化へのルートの鍵となる酵素活性）の測定。
【００７３】
◆サリチル酸の測定：シグナル分子
◆ジャスモン酸合成のキー酵素であるＬＯＸ（リポキシゲナーゼ）活性、その他のシグナル分子の測定酵素の測定
２）植物素材
使用した細胞懸濁液はワシントン州立大学（Ｐｕｌｌｍａｎ，  ＵＳＡ）に由来するＮｉｃｏｔｉａｎａ  ｔａｂａｃｕｍ  ＢＹ（ブライトイェロー）の懸濁液である。懸濁液を２４℃の暗所で、（１分間に１２０回転）の撹拌下に培養し、冷却した培地７０ｍｌ中で培養物１０ｍｌを７日ごとに移動させて移植を行った。
以下に１リットル当たりの培地の組成を示す。
【００７４】
−Ｍｕｒａｓｈｉｇｅ  ＆  Ｓｋｏｏｇ塩（Ｄｕｃｈｅｆａ）  ４．３ｇ
−スクロース  ３０ｇ
−Ｂ１（チアミン）  １ｍｇ
−イノシトール  １００ｍｇ
−ＫＨ２ＰＯ４  １．４７ｍＭ
ｐＨは５．８に調整した。
【００７５】
細胞は移植（成長指数段階の終了）５日後に前処理を行い、６日目に誘導を行った。前処理の２時間前に細胞１０ｍｌを２５ｍｌのエルレンマイヤーフラスコの中に移す。フェニルアラニン・アンモニアリアーゼ（ＰＡＬ）、リポキシゲナーゼ（ＬＯＸ）活性の分析及びサリチル酸（ＳＡ）の決定のために、必要な時に細胞をワットマン紙３Ｍ上で濾過により採取し、液体窒素中で凍結して分析時まで−８０℃で保存する。
【００７６】
３）フェニルアラニン・アンモニアリアーゼ（ＰＡＬ）
細胞（０．５ｇ）を、活性炭素及び石英の存在下に、ホウ酸エステル緩衝液０．１Ｍ、ｐＨ８．８中で細かく砕く。粉砕率は１／５（ｐ／ｖ）である。遠心分離器にかけた後、細胞抽出物１００μｌを２００μｌのホウ酸エステル緩衝液０．１ＭｐＨ８．８及びホウ酸エステル緩衝液０．１Ｍ  ｐＨ８．８とＬ−フェニルアラニン３００μＭとの混合液１００μｌ（標識をつけ、冷却した混合液）（最終的に溶液は８１０，０００ｃｐｍ／ｍｌの特有の活性を示す）の存在下に３７℃で１時間インキュベートする。
【００７７】
Ｈ２ＳＯ４  ９Ｎを数滴加えて反応を停止する。さらにＨ２Ｏ  ２ｍｌを添加する。反応生成物は、エーテル／シクロヘキサン混合液（１／１、ｖ／ｖ）２ｍｌを加えて抽出する。フェニルアラニンはこの混合液に可溶ではないので、反応のカウントは「多目的」シンチレーション液の存在下に１ｍｌにつき行う。
【００７８】
４）リポキシゲナーゼ（ＬＯＸ）活性
細胞（２５０ｍｇ）を、石英の存在下に抽出緩衝液０．５ｍｌ中で細かく砕く。
【００７９】
抽出緩衝液：−３重緩衝液０．１Ｍ  Ｐｈ６．８
−ＰＶＰ１％  ｐ／ｖ
−Ｎａ２Ｓ２Ｏ５  ０．０４％
−ＰＭＳＦ      ０．５ｍＭ
−ＥＤＴＡ      ３ｍＭ
−  トリトン    ０．１％  ｖ／ｖ
粉砕物を４℃で１３０００回転／分で１５分間遠心分離器にかける。２．８７ｍｌの３重緩衝液０．１Ｍ  ｐＨ６．８、次いで３０μｌのリノレン酸１０ｍＭを細胞抽出物に加える。撹拌した後、２３４ｎｍの溶存酵素の変化を測定する。
【００８０】
５）サリチル酸（ＡＳ）の抽出と秤量
タバコの細胞又は葉の試料を液体窒素中で粉砕し、さらに０．８ｍｌの９０％メタノールの存在下に粉砕を続ける。１４Ｃ（１ｎＣｉ、５４ｍＣｉ／モル、シグマ）で標識したＡＳの既知量を添加して、内生ＡＳの回収率を調べる。標識して添加したＡＳの量は分析検出閾値以下である。メタノール抽出物を強く撹拌して、１３０００回転で２０分間遠心分離器にかける。表面残存物を回収して、残滓を１００％メタノールで２回目の抽出に付す。遠心分離器にかけた後２つの残存物を合わせる。次にこれらの試料を、真空下に濃縮器で無水蒸発する。無水抽出物を８０℃の水０．５ｍｌ中に戻す。
【００８１】
試料をＨＣｌ２ｍｌを添加することでｐＨ２にして、１時間８０℃に加熱する。次いで、試料を２倍量のエーテルで連続２回の抽出に付す。抽出後、エーテルを含んでいる各相を合わせ、エーテルを窒素の環流下に蒸発させる。無水残渣を荷重緩衝液（酢酸ナトリウム２０ｍＭ  ｐＨ５、アセトニトリルが９：１（ｖ／ｖ）の割合）およそ１５０μｌ中に溶解する。シンチレーション液（Ｒｅａｄｙ  Ｇｅｌ、Ｂｅｃｋｍａｎｎ）３ｍｌを加えた２０ｍｌを、ＡＳの回収率を計算できる残滓放射能計測のために採取する。測定された全ＡＳ含有量は、遊離基の形態下のＡＳ含有量及び結合形態下のＡＳ含有量の総計に対応し、ＡＳは加水分解中に塩析される。
【００８２】
ＣＬＨＰによる定量分析
荷重緩衝液から回収した試料５０μｌを、酢酸ナトリウム（２０ｍＭ、ｐＨ５）９７％／アセトニトリル３％緩衝混合液中に、均衡状態においた逆相カラムＣ１８（Ｎｏｖａ  ｐａｋ  Ｗａｔｅｒｓ、３．９×１５０ｍｍ）において１ｍｌ／分の流量下で注入する。溶離は、１０分間の等支配システムおけるＣＬＨＰｗａｔｅｒｓシステム上でプログラミングされている。次にアセトニトリルの比率を２分間で８０％まで上昇させ、この比率を１０分間維持することでカラムを洗浄することができ、次に開始混合液中で５分間再均衡化することで次の新たな注入に備える。ＡＳは蛍光測定（λ励起＝３１５ｎｍ、λ放出＝４０５ｎｍ）により計量する。この分子に対応する最大値は、保持時間を参照ＡＳ（５０ｎｇ）の最大値との比較により特定する。注入したＡＳの量は、ＡＳに対応する最大値の範囲を注入した標準分子の範囲を比較することにより計算する。次に試料内のＡＳ含有量を回収率を考慮して計算する。
【００８３】
６）処理反応速度
いずれの場合も、エリシター処理の１８時間前に相乗剤（ｐｏｔｅｎｔｉａｔｏｒ）による前処理を行う。
【００８４】
生理学的効果の分析のための採取は、エリシター誘導（ｅｌｉｃｉｔａｔｉｏｎ）後４時間、１２時間又は２４時間に行う。相乗作用だけ又は誘導だけに対応する基準が各採取物に対して体系的に呈示されている。
【００８５】
結果：明細書の終わりの図１〜９を参照のこと。各図についての注釈は次の通りである。
【００８６】
図１  Ｐｍｇから単離したオリゴ糖エリシターによる誘導後のＰＡＬ活性誘導に対する、Ｈ３ＰＯ３によるタバコ細胞培養コンディショニングの影響。
【００８７】
細胞培養は５ｍＭのＨ３ＰＯ３により１８時間コンディショニング（前処理）を行い、β−グルカン型のオリゴ糖エリシター１０μｇ／ｍｌにより誘導する。誘導自体がＰＡＬ活性の一時的上昇をもたらすが、この活性は誘導後開始レベル８時間に戻る。Ｈ３ＰＯ３（５ｍＭ）による細胞の前処理はエリシターへの反応（誘導可能性）を明確に増幅し、この現象の持続性が上昇する。
【００８８】
図２  タバコの細胞培養のリポキシゲナーゼ（ＬＯＸ）活性に対する、Ｐｍｇから単離したオリゴ糖エリシターによる誘導後のＨ３ＰＯ３の影響。
【００８９】
β−グルカン型のオリゴ糖エリシター１０μｇ／ｍｌによる誘導の２１時間後、ＬＯＸ活性を測定した。細胞の誘導可能性に対するＨ３ＰＯ３による細胞の前処理効果は重要である。これはＬＯＸ活性を対応する基準のおよそ４倍高く誘導するからである。ＬＯＸ活性のわずかな誘導効果が、Ｈ３ＰＯ３単独使用の３９時間後（前処理１８時間＋２１時間）に観察できる。
【００９０】
図３  Ｈ３ＰＯ３によるタバコの細胞培養のコンディショニングの、ペクチンのオリゴマーによる誘引後のＰＡＬ活性の誘導に対する影響。
【００９１】
細胞培養を、５ｍＭのＨ３ＰＯ３で１８時間コンディショニングを行った後、ペクチンのオリゴマー２０μｇ／ｍｌにより誘導を行った。エリシターで細胞を処理することにより、エリシターの適用後に当初レベル８時間に戻るＰＡＬ活性の一時的上昇をもたらす。Ｈ３ＰＯ３による細胞のコンディショニングは、誘導後にＰＡＬ活性を強く刺激し、高レベルのＰＡＬ活性が実験の間持続する。Ｈ３ＰＯ３の適用後、目立ったＰＡＬ活性誘導効果は検出されない。
【００９２】
図４  Ｈ３ＰＯ３により前処理を行った又は行っていない、かつペクチンオリゴマーにより誘導したタバコ細胞培養内のＡＳの蓄積。
【００９３】
ＡＳは、ペクチンのオリゴマー２０μｇ／ｍｌによる誘導反応として極めて一時的に少量蓄積する。誘導の１８時間前にＨ３ＰＯ３によりコンディショニングを行うことで、コンディショニングを行っていない細胞に比べて、非常に高いＡＳ合成率の上昇をもたらす。
【００９４】
図５  Ｈ３ＰＯ３及びフォセチルナトリウム（ｆｏｓｅｔｙｌ−Ｎａ）によるタバコ細胞培養のコンディショニングの、ペクチンのオリゴマーによる誘導後のＰＡＬ活性の誘導に対する影響。
【００９５】
細胞培養は、５ｍＭのＨ３ＰＯ３又はフォセチルナトリウムによりコンディショニングを行った後、ペクチンのオリゴマー２０μｇ／ｍｌにより誘導した。エリシターによる細胞処理はＰＡＬ活性の一時的な上昇をもたらし、この活性は誘導後初期のレベル１１時間に戻る。Ｈ３ＰＯ３による細胞のコンディショニングにより、誘導後、コンディショニングを行っていない細胞で観察されるよりも高いＰＡＬ活性を引き起こす。フォセチルナトリウムは、誘導の１１時間後もＰＡＬ活性を高いレベルに維持する（持続効果）。フォセチルナトリウム単独の適用後は、目立ったＰＡＬ活性誘導効果は認められない。
【００９６】
図６  ＰＡＬ活性誘導に対するＨ３ＰＯ３によるタバコ細胞培養コンディショニングの、β−メガスペルミン２ｎＭによる誘導後の影響。
【００９７】
細胞培養は、５ｍＭのＨ３ＰＯ３により１８時間コンディショニングを行い、さらに２ｎＭのβ−メガスペルミンにより誘導を行った。エリシター単独の使用でＰＡＬ活性の上昇をもたらし、これは誘導後８時間安定する。Ｈ３ＰＯ３により前処理を行ったＰＡＬ活性は、誘導後、コンディショニングを行っていない細胞の４倍レベルまで一直線に上昇する。
【００９８】
図７  β−メガスペルミン２ｎＭによる誘導後の、タバコ細胞培養リポキシゲナーゼ（ＬＯＸ）活性に対するＨ３ＰＯ３の影響。
【００９９】
ＬＯＸ活性を、β−メガスペルミン２ｎＭによる誘導の１２時間後に測定した。対応する基準に対しておよそ２８倍高いＬＯＸ活性を誘導するほど、細胞誘導性に対するＨ３ＰＯ３による細胞前処理（１８時間）効果は高い。Ｈ３ＰＯ３単独適用の３０時間後（前処理１８時間＋１２時間）では、ＬＯＸ活性の誘導効果は全く観察できない。
【０１００】
図８  Ｈ３ＰＯ３によりコンディショニングを行った又は行っていない、かつβ−メガスペルミン５ｎＭにより誘導を行ったタバコ細胞培養内のＡＳの蓄積。
【０１０１】
ＡＳは、β−メガスペルミン５ｎＭによる誘導に反応して一時的に蓄積する。誘導の１８時間前、Ｈ３ＰＯ３による細胞のコンディショニングにより、コンディショニングを行っていない細胞に比べてＡＳ合成率が大幅に上昇し、この効果は持続する。
【０１０２】
図９  Ｈ３ＰＯ３及びフォセチルナトリウムによるタバコ細胞培養コンディショニングの、β−メガスペルミン２ｎＭによる誘導後のＰＡＬ活性の誘導に対する影響。
【０１０３】
細胞培養は、５ｍＭのＨ３ＰＯ３又はフォセチルナトリウムにより１８時間コンディショニングを行い、かつβ−メガスペルミン２ｎＭにより誘導を行った。誘導だけでＰＡＬ活性の上昇をもたらし、これはエリシターの適用後８時間安定する。Ｈ３ＰＯ３又はフォセチルナトリウムにより前処理を行った細胞のＰＡＬ活性は常にコンディショニングを行っていない細胞で観察されたものより高い。
【０１０４】
結論：これらの実験で、タバコの防御反応に対するＨ３ＰＯ３及びフォセチルナトリウムの相乗作用効果が証明された。Ｈ３ＰＯ３及びフォセチルナトリウムそれ自体は、ＰＡＬ活性、ＬＯＸ活性又はＡＳ合成に対してなんら影響を及ぼさない。コンディショニングによって細胞培養は低濃度のエリシターに反応しやすくなる、又はエリシターに対する細胞の感受性が高まる。
【０１０５】
実施例２：抗真菌性保護
１）うどん粉病／小麦（Ｅｒｙｓｉｐｈｅ  ｇｒａｍｉｎｉｓ  ｆ．ｓｐ．ｔｒｉｔｉｃｉ）
Ｖｉｃｔｏ品種の小麦（遺伝子パイオニア会社より市販）を１０℃の低温室でＨＲ９０％の比率で培養し、１２時間の光周期に付す。
【０１０６】
およそ３週間目の苗（２葉がよく発達した段階）を、処理前に、１日２０℃の温室でコンディショニングし、潅水する。各生成物を連続してあるいは混合して使用する。
【０１０７】
さまざまな化合物を水に希釈することにより、１ヘクタール当たりの噴霧液量２５０リットルに該当する希釈懸濁液を調製する。
【０１０８】
連続処理の場合、相乗剤をエリシター使用の２４時間又は４８時間前に与える。
【０１０９】
汚染はエリシターによる処理後２日、４日又は５日に起こる。前の週にあらかじめ汚染させ、（自由水に抵抗力がなく根付かない強制病原性の）粉状の分生胞子によりフェルト状になった小麦の苗で苗を掃いて汚染をより確実にする。
【０１１０】
この汚染後に、小麦の苗を、ＨＲ８５％の雰囲気化に２０℃で７日間インキュベーション状態に置く。
【０１１１】
２）葡萄べと病（Ｐｌａｓｍｏｐａｒａ  ｖｉｔｉｃｏｌａ）
Ｃｈａｒｄｏｎｎａｙ品種の葡萄（Ｖｉｔｉｓ  ｖｉｎｉｆｅｒａ）の挿し木を温室内の小さな植木鉢で栽培する。これらの苗が２ヶ月になったら（４〜５葉段階）、処理前に、２０℃の温室内で１週間下から上への灌漑下に置き、全くストレスが起こらないようにする。
【０１１２】
生成物を連続的にあるいは混合して与える。
【０１１３】
さまざまな化合物から、１ヘクタール当たり５００リットルの噴霧液量に該当する水に希釈した懸濁液を調製する。
【０１１４】
連続処理の場合、エリシター前の６日（間）に相乗剤を与える。
【０１１５】
エリシター処理の６日後に汚染が起きる。７日前に汚染させて胞子が繁殖した葉から得たＰｌａｓｍｏｐａｒａ  ｖｉｔｉｃｏｌａの胞子の水性懸濁液を散布することより汚染をさらに確実にする。これらの胞子は、立法センチメートル（ｃｍ３）当たり１０００００個の割合で懸濁化する。
【０１１６】
次に苗を、１８〜２０℃の霧状の湿った雰囲気下で７日間インキュベーションする。
【０１１７】
汚染の７日後に、汚染させて処理していない基準苗と比較して評価を行う。目視により、真菌類の胞子による白みがかった綿毛がついた葉の裏側表面を観察する。
【０１１８】
葉面の胞子の繁殖した表面率から、アボット公式を使って、苗ごとに３枚の葉面及び試験因子ごとに３本の苗に行った１つの又は複数の処理剤の効果を割り出す。
【０１１９】
結果：明細書の最後の図１０〜２０を参照のこと。各図の注釈は次の通りである。
【０１２０】
図１０  補助剤として湿潤剤Ｒ５６を０．１％加えた適用乳剤中に１％の炭水化物Ｅｌｅｘａ（登録商標）型エリシターにより誘導した後のうどん粉病の広がりに対して、１ヘクタール当たり１ｋｇの割で与えたフォセチルアルミニウム（ｆｏｓｅｔｙｌ  Ａｌ）（Ａｌｉｅｔｔｅ  ＷＧ  ８０％）による小麦の苗のコンディショニングの影響。
【０１２１】
Ｃｏｌｂｙ分析により、小麦のうどん粉病（Ｅｒｙｓｉｐｈｅ  ｇｒａｍｉｎｉｓ  ｆ．ｓｐ．  ｔｒｉｔｉｃｉ）に対する、本試験の条件内でフォセチルアルミニウムとＲ５６を補助剤として加えたＥｌｅｘａ（登録商標）との協力効果が証明された。
【０１２２】
【表１】
0004922484.tif 000002
【０１２３】
図１１  小麦のうどん粉病に対する、１ヘクタール当たり１ｋｇで使用するフォセチルアルミニウム又は１ヘクタール当たり１〜２ｋｇで使用するＨ２ＰＨＯ３と、適用する乳剤中Ｒ５６を０．１％補助剤として加えたエリシターとして使用するＥｌｅｘａ（登録商標）０．１％剤との協力効果。
【０１２４】
本試験において、３つの鉢に分植された２４本の小麦苗の第１葉、第２葉、第３葉の症状評価を行った。相乗剤（フォセチルアルミニウム又はＨ２ＰＨＯ３）の適用及びＲ５６を０．１％加えたエリシターＥｌｅｘａ（登録商標）０．１％の適用を４８時間の間に別々に行った。
【０１２５】
【表２】
0004922484.tif 000003
【０１２６】
図１２  葡萄べと病に対する、適用する乳剤中Ｒ５６を０．１％補助剤として加えたＥｌｅｘａ（登録商標）０．１％による誘導後の、１ヘクタール当たり１又は２ｋｇのフォセチルアルミニウム相乗作用効果。
【０１２７】
２回のそれぞれ独立した試験で、フォセチルアルミニウム  Ｘ  Ｅｌｅｘａ（登録商標）０．１％（＋０．１％のＲ５６）配合のＣｏｌｂｙによる協力作用が注目された。
【０１２８】
【表３】
0004922484.tif 000004
【０１２９】
図１３  １リットル当たり１ｇの酵母エキス型エリシター（ｙｅａｓｔ  １Ｅ）による誘導後の、小麦の抗うどん粉病防御に対するフォセチルアルミニウム（１ヘクタール当たり１ｋｇのｆｏｓ１）の効果。
【０１３０】
小麦のうどん粉病に対する、フォセチルアルミニウム−酵母エキスの組み合わせについて、Ｃｏｌｂｙによる協力作用が明らかになった。
【０１３１】
【表４】
0004922484.tif 000005
【０１３２】
図１４  大麦のうどん粉病を発生させる非宿主真菌類（Ｅｒｙｓｉｐｈｅ  ｇｒａｍｉｎｉｓ  ｆ．  ｓｐ．ｈｏｒｄｅｉ）の死滅させた又は死滅させていない胞子型エリシターによる誘導後の、小麦のうどん粉病に対するフォセチルアルミニウム又は亜リン酸（Ｈ２ＰＨＯ３）による小麦の苗のコンディショニング効果。
【０１３３】
【表５】
0004922484.tif 000006
【０１３４】
相乗剤がフォセチルアルミニウムあるいはＨ２ＰＨＯ３、及び小麦上の非宿主真菌類胞子であるエリシターである２つのケースでＣｏｌｂｙによる協力作用が証明された。
【０１３５】
図１５  １５ｇ／リットルのトレハロース（Ｐｒｏｌａｂｏ）のようなオリゴ糖エリシターによる誘導後の、小麦苗の抗うどん粉病防御に対するＨ２ＰＨＯ３（１ｋｇ／ヘクタール）の効果。
【０１３６】
【表６】
0004922484.tif 000007
【０１３７】
小麦のうどん粉病に対して亜リン酸の相乗作用効果とトレハロースの誘導効果を組み合わせることで、Ｃｏｌｂｙによる協力作用効果が認められた。
【０１３８】
図１６  オリゴ糖エリシター、トレハロースの誘導効果１５ｇ／リットル（Ｐｒｏｌａｂｏ）による誘導後、葡萄べと病に対するフォセチルアルミニウム（２ｋｇ／ヘクタール）の効果。
【０１３９】
【表７】
0004922484.tif 000008
【０１４０】
葡萄べと病に対してフォセチルアルミニウムの相乗作用効果とトレハロースの誘導効果を組み合わせることで、Ｃｏｌｂｙによる協力作用が認められた。
【０１４１】
図１７  相乗剤の４８時間後及び汚染４日前に適用する１ｇ／リットルのサリチル酸による、誘導後の小麦のうどん粉病に対するフォセチルアルミニウム（１又は２ｋｇ／ヘクタール）又はＨ２ＰＨＯ３（１又は２ｋｇ／ヘクタール）の影響。
【０１４２】
【表８】
0004922484.tif 000009
【０１４３】
フォセチルアルミニウム又はＨ２ＰＨＯ３は、サリチル酸の誘導効果を協力作用的に増大した。
【０１４４】
図１８  相乗剤の４８時間後、及び汚染の４８時間前又は４日又は５日前に用量３０ｇ／ヘクタールで適用するＢｉｏｎ（登録商標）（ＢＴＨ）型のエリシターによる誘導後の、小麦のうどん粉病に対するＨ２ＰＨＯ３（１ｋｇ／ヘクタール）又はフォセチルアルミニウム（１又は２ｋｇ／ヘクタール）の影響。
【０１４５】
【表９】
0004922484.tif 000010
【０１４６】
小麦のうどん粉病に対してフォセチルアルミニウム又はＨ２ＰＨＯ３をｂｉｏｎ（登録商標）と組み合わせたさまざまな配合において、Ｃｏｌｂｙによる協力作用が認められた。
【０１４７】
図１９  ｂｉｏｎ（登録商標）（３０ｇ／ヘクタールのＢＴＨ）型エリシターに組み合わせた、葡萄べと病に対するフォセチルアルミニウム（２ｋｇ／ヘクタール）の影響。
【０１４８】
【表１０】
0004922484.tif 000011
【０１４９】
葡萄べと病に対して、フォセチルアルミニウムの相乗作用効果とｂｉｏｎ（登録商標）の誘導効果を組み合わせることでＣｏｌｂｙによる協力作用効果が認められた。
【０１５０】
図２０  ｂｉｏｎ（登録商標）（３０ｇ／ヘクタールのＢＴＨ）型の又はサリチル酸エステル（１ｇ／リットル）のエリシターによる処理を組み合わせた、小麦のうどん粉病に対して適用する乳剤中０．１％のＲ５６を補助剤として加えた０．１％Ｅｌｅｘａ（登録商標）（ここでは相乗剤として）の影響。
【０１５１】
第１試験で、誘導処理と汚染を４日間で行ったのに対して、第２試験では、誘導と汚染との間の期間は４８時間、あるいは５日間で行った。この２つの場合、４８時間の方は相乗作用処理と誘導処理を行った。
【０１５２】
【表１１】
0004922484.tif 000012
【０１５３】
各ケースでＣｏｌｂｙによる協力作用が認められる。いずれの場合もＥｌｅｘａ（登録商標）はＢＴＨ又はサリチル酸の誘導反応を増大する。
【０１５４】
結論：フォセチルアルミニウムとその誘導体及び、多糖類（Ｅｌｅｘａ（登録商標））、単純糖（トレハロース）、サリチル酸及び／又はその各エステルのような化合物、Ｂｉｏｎ（登録商標）（ＢＴＨ）又は小麦及び葡萄に対して行った生物学的テストにおける非宿主真菌類（Ｅｒｙｓｉｐｈｅ  ｇｒａｍｉｎｉｓ  ｈｏｒｅｄｅｉ）の胞子などさまざまなタイプのエリシターとの間の、Ｃｏｌｂｙによる協力作用効果が明らかになった。同じく、Ｅｌｅｘａ（登録商標）と、Ｂｉｏｎ（登録商標）又はサリチル酸及び／又はその各エステルとの間の協力作用効果も明らかになった。
【０１５５】
これらの実施例は、タバコの細胞に対して明らかになっていた各生理学的効果を補いかつ相関させるものとなった。またタバコの場合には、ペクチンのオリゴマーによる誘導の際、Ｂｉｏｎ（登録商標）（ＢＴＨ）の相乗作用が証明された（図２１を参照）。
【０１５６】
実施例３：葉面処理によるメロン（Ｃｕｃｕｍｉｓ  ｍｅｌｏ、ｒｏｃｈｅｔ品種）のうどん粉病に対する、畑で行ったテスト
フォセチル＋藻類のエキスは、下記表の結果が示すように、同量で単独で使用した場合と比べて大幅な被害の減少をもたらした。
【０１５７】
使用した抗真菌剤はフォセチルアルミニウム（活性物質１．２５ｋｇ／ヘクタールあるいは１０００ｇ／ヘクタールで使用するＷＧ）であり、藻類のエキス（ＬＣ溶液、１リットル／ヘクタール）はＡｇｒｉｍｅｒ社のＡｇｒｉｍｅｒ  ５４０である。
【０１５８】
これらすべての生成物は１０００ｇ／ヘクタールの用量で使用し、Ｔ１及びＴ２の２つの処理（７日おきに行った）の１５日後に病気に罹った植物の割合（％）を決定した。
【０１５９】
【表１２】
0004922484.tif 000013
【０１６０】
実施例４：葉面処理による、小麦（ｔｒｉｔｉｃｕｍ  ａｅｓｔｉｖｕｍ、ｗｉｎｔｅｒ品種）のうどん粉病（ｅｒｙｓｉｐｈｅ  ｇｒａｍｉｎｉｓ）に対する畑でのテスト
フォセチル＋藻類のエキスは、下記表の結果が示すように、同量で単独で使用した場合と比べて大幅な被害の減少をもたらした。
【０１６１】
使用した抗真菌剤はフォセチルアルミニウム（活性物質１．２５ｋｇ／ヘクタールあるいは１０００ｇ／ヘクタールで使用するＷＧ）であり、藻類のエキス（ＬＣ溶液、１リットル／ヘクタール）はＡｇｒｉｍｅｒ社のＡｇｒｉｍｅｒ  ５４０である。
【０１６２】
これらすべての生成物は１０００ｇ／ヘクタールの用量で使用し、一方は薬剤を半分の量にして処理した葉面の状態について（処理Ｔの２２日後に評価）、他方は全薬剤で処理した葉面の状態について（処理Ｔの２７日後に評価）、病気に罹った植物の割合（罹患した葉の％）を決定した。
【０１６３】
【表１３】
0004922484.tif 000014
【図面の簡単な説明】
【図１】  Ｐｍｇから単離したオリゴ糖エリシターによる誘導後のＰＡＬ活性の誘導に対する、Ｈ３ＰＯ３によるタバコ細胞培養コンディショニングの影響を示す図である。
【図２】  タバコの細胞培養のリポキシゲナーゼ（ＬＯＸ）活性に対する、Ｐｍｇから単離したオリゴ糖エリシターによる誘導後のＨ３ＰＯ３の影響を示す図である。
【図３】  Ｈ３ＰＯ３によるタバコの細胞培養のコンディショニングの、ペクチンのオリゴマーによる誘導後のＰＡＬ活性の誘導に対する影響を示す図である。
【図４】  Ｈ３ＰＯ３により前処理を行った又は行っていない、かつペクチンオリゴマーにより誘導したタバコ細胞培養内のＡＳの蓄積を示す図である。
【図５】  Ｈ３ＰＯ３及びフォセチルナトリウムによるタバコ細胞培養のコンディショニングの、ペクチンのオリゴマーによる顕在化後のＰＡＬ活性の誘導に対する影響を示す図である。
【図６】  ＰＡＬ活性誘導に対するＨ３ＰＯ３によるタバコ細胞培養コンディショニングの、β−メガスペルミン２ｎＭによる顕在化後の影響を示す図である。
【図７】  β−メガスペルミンの２ｎＭによる誘導後の、タバコ細胞培養リポキシゲナーゼ（ＬＯＸ）活性に対するＨ３ＰＯ３の影響を示す図である。
【図８】  Ｈ３ＰＯ３によりコンディショニングを行った又は行っていない、かつβ−メガスペルミン５ｎＭにより顕在化を行ったタバコ細胞培養内のＡＳの蓄積を示す図である。
【図９】  Ｈ３ＰＯ３及びフォセチルナトリウムによるタバコ細胞培養コンディショニングの、β−メガスペルミン２ｎＭによる顕在化後のＰＡＬ活性の誘導に対する影響を示す図である。
【図１０】  補助剤として湿潤剤Ｒ５６を０．１％加えた適用乳剤中に１％の炭水化物Ｅｌｅｘａ（登録商標）型エリシターにより誘導した後のうどん粉病の広がりに対して、１ヘクタール当たり１ｋｇの割で与えたフォセチルアルミニウム（Ａｌｉｅｔｔｅ  ＷＧ  ８０％）による、小麦の苗のコンディショニングの影響を示す図である。
【図１１】  小麦のうどん粉病に対する、１ヘクタール当たり１ｋｇで使用するフォセチルアルミニウム又は１ヘクタール当たり１〜２ｋｇで使用するＨ２ＰＨＯ３と、乳剤中Ｒ５６を０．１％補助剤として加えたエリシターとして使用するＥｌｅｘａ（登録商標）０．１％剤との協力効果を示す図である。
【図１２】  図１２  葡萄べと病に対する、適用する乳剤中Ｒ５６を０．１％補助剤として加えたＥｌｅｘａ（登録商標）０．１％による誘導後の、１ヘクタール当たり１又は２ｋｇのフォセチルアルミニウム相乗作用効果を示す図である。
【図１３】  １リットル当たり１ｇの酵母エキス型エリシターによる誘導後の、小麦の抗うどん粉病防御に対するフォセチルアルミニウム（１ヘクタール当たり１ｋｇのｆｏｓ１）の効果を示す図である。
【図１４】  大麦のうどん粉病を発生させる非宿主真菌類（Ｅｒｙｓｉｐｈｅ  ｇｒａｍｉｎｉｓ  ｆ．  ｓｐ．ｈｏｒｄｅｉ）の死滅させた又は死滅させていない胞子型エリシターによる誘導後の、小麦のうどん粉病に対するフォセチルアルミニウム又は亜リン酸（Ｈ２ＰＨＯ３）による小麦の苗のコンディショニング効果を示す図である。
【図１５】  １５ｇ／リットルのトレハロース（Ｐｒｏｌａｂｏ）のようなオリゴ糖エリシターによる誘導後の、小麦苗の抗うどん粉病防御に対するＨ２ＰＨＯ３（１ｋｇ／ヘクタール）の効果を示す図である。
【図１６】  オリゴ糖エリシター、トレハロースの誘導効果１５ｇ／リットル（Ｐｒｏｌａｂｏ）による誘導後、葡萄べと病に対するフォセチルアルミニウム（２ｋｇ／ヘクタール）の効果を示す図である。
【図１７】  相乗剤の４８時間後及び汚染４日前に適用する１ｇ／リットルのサリチル酸による、誘導後の小麦のうどん粉病に対するフォセチルアルミニウム（１又は２ｋｇ／ヘクタール）又はＨ２ＰＨＯ３（１又は２ｋｇ／ヘクタール）の影響を示す図である。
【図１８】  相乗剤の４８時間後、及び汚染の４８時間前又は４日又は５日前に用量３０ｇ／ヘクタールで適用するＢｉｏｎ（登録商標）（ＢＴＨ）型のエリシターによる誘導後の、小麦のうどん粉病に対するＨ２ＰＨＯ３（１ｋｇ／ヘクタール）又はフォセチルアルミニウム（１又は２ｋｇ／ヘクタール）の影響を示す図である。
【図１９】  ｂｉｏｎ（登録商標）（３０ｇ／ヘクタールのＢＴＨ）型エリシターに組み合わせた、葡萄べと病に対するフォセチルアルミニウム（２ｋｇ／ヘクタール）の影響を示す図である。
【図２０】  ｂｉｏｎ（登録商標）（３０ｇ／ヘクタールのＢＴＨ）型の又はサリチル酸エステル（１ｇ／リットル）のエリシターによる処理を組み合わせた、小麦のうどん粉病に対して適用する乳剤中０．１％のＲ５６を補助剤として加えた０．１％Ｅｌｅｘａ（登録商標）（ここでは相乗剤として）の影響を示す図である。
【図２１】  Ｈ３ＰＯ３及びフォセチルナトリウムならびにＢＴＨにより増強し、オリゴマーペクチン１０μｇ／ｍｌにより誘導したタバコの細胞におけるＰａｌ活性の増大を確認できる図である。
【図１】
0004922484.tif 000015
【図２】
0004922484.tif 000016
【図３】
0004922484.tif 000017
【図４】
0004922484.tif 000018
【図５】
0004922484.tif 000019
【図６】
0004922484.tif 000020
【図７】
0004922484.tif 000021
【図８】
0004922484.tif 000022
【図９】
0004922484.tif 000023
【図１０】
0004922484.tif 000024
【図１１】
0004922484.tif 000025
【図１２】
0004922484.tif 000026
【図１３】
0004922484.tif 000027
【図１４】
0004922484.tif 000028
【図１５】
0004922484.tif 000029
【図１６】
0004922484.tif 000030
【図１７】
0004922484.tif 000031
【図１８】
0004922484.tif 000032
【図１９】
0004922484.tif 000033
【図２０】
0004922484.tif 000034
【図２１】
0004922484.tif 000035